【手続補正書】
【提出日】平成24年4月6日(2012.4.6)
【手続補正１】
【補正対象書類名】特許請求の範囲
【補正対象項目名】全文
【補正方法】変更
【補正の内容】
【特許請求の範囲】
【請求項１】
複数の画素からなるブロックに分割されて処理された画像データの品質を評価する画像品質評価方法であって、
水平方向若しくは垂直方向に並ぶ画素のうち、少なくとも３つの画素の値の相関と、前記水平方向若しくは垂直方向に並ぶ前記画素のうち、前記ブロックの境界を挟む画素の値の差分とから、前記ブロックの境界に発生したブロック歪みを検出する画像品質評価方法。
【請求項２】
前記画像データにおいて、水平方向に並ぶ画素の隣接する画素同士の値を前記画素が並ぶ順番に同じ方向から算出した差分からなる水平方向の差分画像データ、及び、垂直方向に並ぶ画素の隣接する画素同士の値を前記画素が並ぶ順番に同じ方向から算出した差分からなる垂直方向の差分画像データを生成するステップと、
前記水平方向の差分画像データ及び前記垂直方向の差分画像データから、水平方向に並ぶ前記画素の値の前記差分のうちの少なくとも３つの値の相関若しくは垂直方向に並ぶ前記画素の値の前記差分のうちの少なくとも３つの値の相関を算出し、当該相関及び水平方向若しくは垂直方向に並ぶ前記画素のうち、前記ブロックの境界を挟む画素の値の前記差分から、前記ブロックの境界に発生したブロック歪みを検出するステップと、を有する請求項１に記載の画像品質評価方法。
【請求項３】
前記ブロック歪みを検出するステップは、
水平方向若しくは垂直方向に並ぶ前記画素毎で、且つ、前記ブロック毎に、当該ブロックに含まれる前記画素の値の前記差分の標準偏差及び平均値を算出し、前記標準偏差が所定の閾値より小さく、且つ、当該ブロック及び隣接するブロックの境界を挟む画素の値の前記差分の大きさが、前記平均値に所定の倍率を乗じた値より大きいという条件を満たすとき、前記ブロック歪みを検出するように構成された請求項２に記載の画像品質評価方法。
【請求項４】
前記ブロック歪みを検出するステップは、前記条件に加えてさらに、
前記境界を挟む画素の各々と隣接する画素との前記差分の正負が同一で、且つ、前記境界を挟む画素の値の前記差分の正負が、前記隣接する画素との前記差分の正負と反対であるという条件を満たすとき、前記ブロック歪みを検出するように構成された請求項３に記載の画像品質評価方法。
【請求項５】
前記ブロック歪みを検出するステップは、
水平方向若しくは垂直方向に並ぶ前記画素毎で、且つ、前記ブロック毎に、当該ブロックに含まれる前記画素の値の前記差分の標準偏差及び平均値、並びに、当該ブロックに隣接するブロックに含まれる前記画素の値の前記差分の標準偏差を算出し、前記標準偏差の各々が所定の閾値より小さく、且つ、当該ブロック及び隣接するブロックの境界を挟む画素の値の前記差分の大きさが、前記平均値に所定の倍率を乗じた値より大きいという条件を満たすとき、前記ブロック歪みを検出するように構成された請求項２に記載の画像品質評価方法。
【請求項６】
前記ブロック歪みを検出するステップは、さらに、
水平方向に並ぶ画素に対して検出されたブロック歪みについては、当該検出されたブロック歪みのうち、垂直方向に所定の画素以上連続するものだけを最終的な前記ブロック歪みとし、
垂直方向に並ぶ画素に対して検出されたブロック歪みについては、当該検出されたブロック歪みのうち、水平方向に所定の画素以上連続するものだけを最終的な前記ブロック歪みとするように構成された請求項３〜５いずれか一項に記載の画像品質評価方法。
【請求項７】
前記画像データに含まれる全画素数、若しくは、前記ブロックの境界を構成する画素数に対する前記ブロック歪みの数の合計の割合をブロック歪量として算出するステップを、さらに有する請求項１〜６いずれか一項に記載の画像品質評価方法。
【請求項８】
前記画像データは、ＪＰＥＧ方式若しくはＭＰＥＧ方式により圧縮された画像から復元された画像データである請求項１〜７いずれか一項に記載の画像品質評価方法。
【請求項９】
請求項１〜８いずれか一項に記載の画像品質評価方法をコンピュータに実行させるためのプログラム。
【請求項１０】
複数の画素からなるブロックに分割されて処理された画像データの品質を評価する画像品質評価装置であって、
前記画像データにおいて、水平方向に並ぶ画素の隣接する画素同士の値を前記画素が並ぶ順番に同じ方向から算出した差分からなる水平方向の差分画像データ、及び、垂直方向に並ぶ画素の隣接する画素同士の値を前記画素が並ぶ順番に同じ方向から算出した差分からなる垂直方向の差分画像データを生成する差分画像生成部と、
前記水平方向の差分画像データ及び前記垂直方向の差分画像データから、水平方向若しくは垂直方向に並ぶ前記画素の値の前記差分のうち、少なくとも３つの値の相関を算出し、当該相関及び水平方向若しくは垂直方向に並ぶ前記画素のうち、前記ブロックの境界を挟む画素の値の前記差分から、前記ブロックの境界に発生したブロック歪みを検出するブロック歪検出部と、を有する画像品質評価装置。
【請求項１１】
前記ブロック歪み検出部は、
水平方向若しくは垂直方向に並ぶ前記画素毎で、且つ、前記ブロック毎に、当該ブロックに含まれる前記画素の値の前記差分の標準偏差及び平均値を算出し、前記標準偏差が所定の閾値より小さく、且つ、当該ブロック及び隣接するブロックの境界を挟む画素の値の前記差分の大きさが、前記平均値に所定の倍率を乗じた値より大きいという条件を満たすとき、前記ブロック歪みを検出するように構成された請求項１０に記載の画像品質評価装置。
【請求項１２】
前記ブロック歪み検出部は、前記条件に加えてさらに、
前記境界を挟む画素の各々と隣接する画素との前記差分の正負が同一で、且つ、前記境界を挟む画素の値の前記差分の正負が、前記隣接する画素との前記差分の正負と反対であるという条件を満たすとき、前記ブロック歪みを検出するように構成された請求項１１に記載の画像品質評価装置。
【請求項１３】
前記ブロック歪み検出部は、
水平方向若しくは垂直方向に並ぶ前記画素毎で、且つ、前記ブロック毎に、当該ブロックに含まれる前記画素の値の前記差分の標準偏差及び平均値、並びに、当該ブロックに隣接するブロックに含まれる前記画素の値の前記差分の標準偏差を算出し、前記標準偏差の各々が所定の閾値より小さく、且つ、当該ブロック及び隣接するブロックの境界を挟む画素の値の前記差分の大きさが、前記平均値に所定の倍率を乗じた値より大きいという条件を満たすとき、前記ブロック歪みを検出するように構成された請求項１０に記載の画像品質評価装置。
【請求項１４】
前記ブロック歪み検出部は、さらに、
水平方向に並ぶ画素に対して検出されたブロック歪みについては、当該検出されたブロック歪みのうち、垂直方向に所定の画素以上連続するものだけを最終的な前記ブロック歪みとし、
垂直方向に並ぶ画素に対して検出されたブロック歪みについては、当該検出されたブロック歪みのうち、水平方向に所定の画素以上連続するものだけを最終的な前記ブロック歪みとするように構成された請求項１１〜１３いずれか一項に記載の画像品質評価装置。
【請求項１５】
前記画像データに含まれる全画素数、若しくは、前記ブロックの境界を構成する画素数に対する前記ブロック歪みの数の合計の割合をブロック歪量として算出するブロック歪量検出部を、さらに有する請求項１０〜１４いずれか一項に記載の画像品質評価装置。
【請求項１６】
ＪＰＥＧ方式若しくはＭＰＥＧ方式で圧縮されたデータを読み込んで復元することにより、前記画像データを生成するデータ読込部をさらに有する請求項１０〜１５いずれか一項に記載の画像品質評価装置。
【請求項１７】
前記画像データ及び前記ブロック歪みの検出結果を重ね合わせて表示する表示部をさらに有する請求項１０〜１６いずれか一項に記載の画像品質評価装置。
【手続補正２】
【補正対象書類名】明細書
【補正対象項目名】００３７
【補正方法】変更
【補正の内容】
【００３７】
また、条件式（４）は、注目するブロックの画素の差分（復元画像データの４つの画素ａ0〜ｄ0から求められる３つの差分ａ〜ｃ）の標準偏差σ2が所定の閾値σHよりも小さく、且つ、その平均値ａｖに所定の閾値（倍率）ｓｃａｌｅHを乗じた値よりも、境界における差分ｄの値の大きさ（境界を挟む画素の輝度変化の絶対値）が大きい場合を示している。すなわち、この条件式（４）は注目するブロックでの画素の変化が小さく、且つ、ブロックの境界における画素の輝度の変化量が急激に増加している場合（パターン３または４の場合）を示している。
【手続補正３】
【補正対象書類名】明細書
【補正対象項目名】００４１
【補正方法】変更
【補正の内容】
【００４１】
【数３】
2010263539.tif 000001
【手続補正４】
【補正対象書類名】明細書
【補正対象項目名】００４４
【補正方法】変更
【補正の内容】
【００４４】
【数４】
2010263539.tif 000002